(57)【要約】【課題】光ピックアップの光学調整を簡単かつ精密に行うことができる光ピックアップの光学調整方法を提供する。【解決手段】光ピックアップ２から出射されるレーザ光を受光する回折格子３と、回折格子３からのレーザ光を集光レンズ４と結像レンズ５を介して受ける受像装置６とを備え、回折格子３からの透過光の干渉によるフリンジパターンを利用したジャストフォーカス検出器１を用い、ジャストフォーカス検出器１の検出結果に基づき、回折格子３を光ピックアップ２の対物レンズ１０の焦点位置に設置することにより、光ピックアップ２の光学系を調整する。【選択図】図１
2011129184.tif 000002
【特許請求の範囲】
【請求項１】
光ピックアップ内の光源から出射された光が回折格子を透過して干渉した干渉縞に基づき、前記回折格子を光ピックアップ内の対物レンズの焦点位置に設置した後、
前記光ピックアップ内の光源から出射されて前記回折格子で反射した光をシリンドリカルレンズを通した後に前記光ピックアップ内の４分割受光部で受光し、前記４分割受光部で受光した光の光量に基づいて前記光源または前記４分割受光部の位置を調整すること
を特徴とする光ピックアップの光学調整方法。
【請求項２】
前記回折格子と前記光ピックアップ内の対物レンズとの距離が前記対物レンズの焦点距離になるように常にフィードバックをかけること
を特徴とする請求項１記載の光ピックアップの光学調整方法。
【請求項３】
前記光ピックアップは、前記光源から出射した光が、ビームスプリッタで略直角方向に反射された後にコリメータレンズを通して前記対物レンズに入射し、前記対物レンズから出射して前記回折格子により反射された後に前記対物レンズと前記コリメータレンズと前記ビームスプリッタとを通り、前記光源に対してミラー位置に設置された前記４分割受光部にシリンドリカルレンズを通して結像する構成であって、前記４分割受光部にて受光された光量に基づいて、前記光源または前記４分割受光部の位置を調整すること
を特徴とする請求項１または２記載の光ピックアップの光学調整方法。
【請求項４】
前記対物レンズの焦点が前記回折格子に合致するように前記光ピックアップを載置する工程と、
前記４分割受光部の各分割素子からの４つの出力（Ａ，Ｂ，Ｃ，Ｄ（ＡとＣおよびＢとＤが対角位置にある素子からの出力）が同じになるように、前記光源を前記対物レンズの光軸に対して垂直な面上を移動させて仮固定する工程と、
前記４分割受光部における対角位置の素子の出力の和（Ａ＋Ｃ）と他の対角位置の素子の出力（Ｂ＋Ｄ）との関係が、（（Ａ＋Ｃ）−（Ｂ＋Ｄ））／（Ａ＋Ｂ＋Ｃ＋Ｄ）＝０となるように、前記光源を前記対物レンズの光軸方向に移動させる工程と、
回折格子パターンのない反射面を前記回折格子に換えて設置し、前記４分割受光部における対角位置の素子の出力の和（Ａ＋Ｃ）と他の対角位置の素子の出力（Ｂ＋Ｄ）との関係が、（（Ａ＋Ｃ）−（Ｂ＋Ｄ））／（Ａ＋Ｂ＋Ｃ＋Ｄ）＝０となるように、前記対物レンズの位置を調整する工程と、
前記４分割受光部の対角位置の素子の出力の関係が、（（Ａ＋Ｂ）−（Ｃ＋Ｄ））／（Ａ＋Ｂ＋Ｃ＋Ｄ）＝０、および（（Ａ＋Ｄ）−（Ｂ＋Ｃ））／（Ａ＋Ｂ＋Ｃ＋Ｄ）＝０となるように、前記光源または前記４分割受光部を前記対物レンズの光軸方向に垂直な面上を移動させて位置調整して固定する工程と、
からなること
を特徴とする請求項３記載の光ピックアップの光学調整方法。
【請求項５】
前記光ピックアップが、相対的な位置が固定されている異なる波長の２つの光源を備えた光源部品と、前記各光源に対応して光をそれぞれ検知する２つの４分割受光部を備えた４分割受光部品を具備する光ピックアップであって、
一方の前記光源と４分割受光部に対しては請求項４に記載の各工程の実施し、
他方の前記光源と４分割受光部に対しては請求項４に記載の各工程に加えて、
前記回折格子に、該回折格子の面と異なる反射面を有するカバーグラスを重ね、この反射面に焦点が合うように前記光ピックアップの対物レンズを駆動する工程と、
前記他方の４分割受光部の出力の関係が、（（Ａ＋Ｄ）−（Ｂ＋Ｃ））／（Ａ＋Ｂ＋Ｃ＋Ｄ）＝０となるように、前記他方の光源または前記４分割受光部を前記対物レンズの光軸の周りに回転させ位置調整する工程とを実施すること
を特徴とする請求項３記載の光ピックアップの光学調整方法。
【請求項６】
請求項１〜４いずれか１項記載の光ピックアップの光学調整方法に用いられるジャストフォーカス検出器と、該ジャストフォーカス検出器を上下動させる駆動部と、光ピックアップを載置する載置台と、前記光ピックアップの４分割受光部の出力を演算する演算部と、該演算部の出力に従って光ピックアップの光源をＸＹＺ方向に移動させて位置固定する微動部とを備えたこと
を特徴とする光ピックアップの光学調整装置。
【発明の詳細な説明】
【技術分野】
【０００１】
本発明は、光ピックアップの光学系の調整方法、および該調整方法を実現する装置に関するものである。
【背景技術】
【０００２】
現在、光ピックアップは、映像や音声、あるいは文字情報などの記録再生装置を主とするエレクトロニクス機器に多く用いられ、例えば、音楽ＣＤ，ＤＶＤの記録再生機器や、ブルーレーザを搭載したハイビジョン映像を記録再生することができるブルーレイ記録再生機器に用いられている。それぞれの機器は単独でも存在するが、全ての記録媒体を記録再生することができる機器が一般的になってきている。
【０００３】
そのような機器において重要な技術は、記録再生技術と、それを実現する記録媒体と、光ピックアップに関する技術である。その中でも光ピックアップは、記録媒体にミクロン以下のビットを記録し、かつ、それを正確に読み取らねばならない。このため、回転し上下動する記録媒体上のトラックを正確に追跡し、記録された連続ビットを精密に再生することができなければならない。一方で、機器は小型化を要求される。そのために、部品である光ピックアップには高性能化と小型化が要求されている。
【０００４】
図９は一般的な光ピックアップにおける基本的光学系と記録媒体の関係を示す概略構成図であって、光ピックアップ１０１は、光源であるレーザ発光ダイオード１０２，ビームスプリッタ１０３，コリメータレンズ１０４，対物レンズ１０５，シリンドリカルレンズ１０６，４分割フォトダイオード１０７から構成され、各部品が図９に示す位置に配置されている。
【０００５】
図９において、記録媒体１０９は、記録再生機器に挿入されると所定の位置にローディングされて、回転軸１１０により回転する。一方、光ピックアップ１０１では、レーザ発光ダイオード１０２から出射したレーザ光Ｌが、ビームスプリッタ１０３で略直角に反射され、コリメータレンズ１０４により平行光となって、光軸方向に駆動可能な対物レンズ１０５に入り、記録媒体１０９の信号（ビット）記録面１０８により反射されて、再び、対物レンズ１０５とコリメータレンズ１０４とビームスプリッタ１０３を通って、レーザ発光ダイオード１０２に対してミラー位置に置かれた４分割フォトダイオード１０７にシリンドリカルレンズ１０６を通して入射して結像するようになっている。
【０００６】
４分割フォトダイオード１０７は、４つの分割素子であるフォトダイオードをＸ−Ｙ座標の第１象限から第４象限それぞれに配置されたものであって、それぞれのフォトダイオードからの電気信号の大きさが同じ時に、受光面の光スポットが４分割フォトダイオード１０７の中心に位置するようになっている。
【０００７】
４分割フォトダイオード１０７上に配されたシリンドリカルレンズ１０６は、４分割フォトダイオード１０７の位置が正確に受光ビームの結像点に有るか否かが、より明確に分るように、機能している。４分割フォトダイオード１０７の位置が最適位置から上下すると、４つのフォトダイオードからの各電気信号が異なり、その信号を処理することにより、結像点からのずれを検出することができる。
【０００８】
また、４分割フォトダイオード１０７により、記録媒体１０９の記録面１０８にレーザ光Ｌがジャストフォーカスしているか否かも判別することができ、この判別信号を対物レンズ１０５の電磁コイルなどからなる駆動部にフィードバックすることにより、対物レンズ１０５の焦点が常に記録面１０８に対してジャストフォーカスするように制御が行われる。
【０００９】
光ピックアップにおいて前記処理を行うためには、各部品のサブミクロン単位の位置調整が必要である。従来、光ピックアップの調整は、光学系調整用の検査用記録媒体を再生時と同じように検査装置の中で回転させ、図９と同じ構成の調整装置を用い、記録信号面１０８から反射してくるレーザ光Ｌが４分割フォトダイオード１０７の中心に結像するように、レーザ発光ダイオード１０２または４分割フォトダイオード１０７を移動させることによって相対位置を調整していた。
【００１０】
また、検査用記録媒体を用いない調整方法も知られている。特許文献１には、回転する検査用記録媒体の代わりに、レーザ光の反射光が安定して得られるように、対物レンズの焦点位置に回折格子を設置して、これを光軸方向へ振動させる調整方法が提案されている。
【００１１】
特許文献１に記載によれば、当該光学調整方法によって、回転する記録媒体のように信号記録面の上下左右の不安定性によるデフォーカスやオフトラックがなく、安定した電気信号が４分割フォトダイオードから得られ、４分割フォトダイオードの感度調整が容易に行われるとしている。
特許文献１に記載の光学調整方法では、回折格子を光ピックアップの焦点に合わせるために、光ピックアップからの出射光の回折干渉画像（フリンジ画像）を利用している。
【００１２】
また、特許文献２に記載の光ピックアップ調整方法では、光ピックアップの対物レンズの焦点位置に回折格子を配置し、光ピックアップの光源から出射した光を回折格子で反射させた後、光ピックアップの４分割受光部で反射させ、光ピックアップの４分割受光部で反射した光を集光させたスポットを予め入力された基準スポットと比較し、比較結果を用いて光ピックアップの調整を行っている。
【先行技術文献】
【特許文献】
【００１３】
【特許文献１】特開２００２−２１６３８８号公報
【特許文献２】特開２００７−２１３６６６号公報
【発明の概要】
【発明が解決しようとする課題】
【００１４】
従来の回転する検査用記録媒体を用いた光ピックアップの光学系調整方法では、得られる電気信号が、機械系の不安定性（回転する記録媒体の上下左右のブレ）により安定しない。また、反射面の位置基準はジッタと呼ばれる記録媒体から読み取った信号のズレを元に演算処理していたため、記録媒体や設備の機差による影響を受け、正確かつ精密な調整は難しい。さらに、検査用記録媒体の劣化による難しさなどがある。
【００１５】
特許文献１に記載の調整方法は、完成した光ピックアップの光学系における４分割フォトダイオードの感度調整に有効であり、４分割フォトダイオードの精密位置調整にも有効である。
【００１６】
しかし、この調整方法では、レーザ発光ダイオードを光軸方向に位置調整をすることにより光ピックアップからの出射光の焦点距離が変わった際に、回折格子を振動させる振幅の範囲に光ピックアップからの焦点位置が含まれず、反射光が４分割フォトダイオード上に集光するようにレーザ発光ダイオードを調整できている否かを判定することができなくなる場合があった。
【００１７】
本発明は、上記従来技術の課題を解決し、光学調整を簡単かつ精密に行うことができる光ピックアップの光学調整方法および装置を提供することを目的とする。
【課題を解決するための手段】
【００１８】
上記目的を達成するために、本発明は、光ピックアップ内の光源から出射された光が回折格子を透過して干渉した干渉縞に基づき、前記回折格子を光ピックアップ内の対物レンズの焦点位置に設置した後、前記光ピックアップ内の光源から出射されて前記回折格子で反射した光をシリンドリカルレンズを通した後に前記光ピックアップ内の４分割受光部で受光し、前記４分割受光部で受光した光の光量に基づいて前記光ピックアップ内の光源の位置を調整するようにしている。
【発明の効果】
【００１９】
本発明によれば、従来の回転する検査用記録媒体を用いる光ピックアップの光学調整方法に比べ、記録媒体の劣化などがないために、安定した調整を維持することができる。また、回転するという機械的不安定性がなく、しかも反射面の位置基準を電気信号の演算処理ではなく光学的に一意的に求めることにより、機差のない正確かつ精密な光ピックアップあるいは４分割フォトダイオードへの反射光の位置調整が可能である。
【００２０】
また、レーザ発光ダイオードの光軸方向の位置調整において、光ピックアップからの出射光の焦点距離が変化する特許文献１の調整方法に比べて、反射光が４分割フォトダイオード上に焦点を持つか否かの判定ができなくなるような事態を回避することができる。
【図面の簡単な説明】
【００２１】
【図１】本発明の実施形態１の光ピックアップ光学調整方法を説明するための光学調整装置の構成図
【図２】（ａ），（ｂ）は実施形態１における受像装置で受像される干渉縞の一例を示す説明図
【図３】実施形態１におけるレーザ発光ダイオードの位置決め工程のフローチャート
【図４】（ａ），（ｂ）は実施形態１における４分割フォトダイオードの出力構成の説明図
【図５】実施形態１における光ピックアップの検査方法のフローチャート
【図６】本発明の実施形態２の光ピックアップ光学調整方法の調整方法のフローチャート
【図７】本発明の実施形態３の光ピックアップ光学調整方法の調整方法のフローチャート
【図８】本発明の実施の形態４の光学調整方法を実現するための光学調整装置の概略構成図
【図９】一般的な光ピックアップの基本的光学系と記録媒体とを示す概略構成図
【発明を実施するための形態】
【００２２】
以下、本発明の実施形態について、図面を参照しながら説明する。なお、以下の説明において、同じ構成には同じ符号を付して、説明を省略する場合もある。
【００２３】
（実施形態１）
図１は本発明の実施形態１の光ピックアップ光学調整方法を説明するための光学調整装置の構成図である。
【００２４】
図１において、ジャストフォーカス検出器１と、内設されたレーザ発光ダイオード７（光源）の空間的位置が調整される光ピックアップ２とを、図示したように上下位置に設置する。
【００２５】
ジャストフォーカス検出器１は、回折格子３と、集光レンズ４と、結像レンズ５と、受像装置６とからなり、ＸＹＺ軸方向に移動可能になっている。
【００２６】
一方、光ピックアップ２は、レーザ発光ダイオード７と、ビームスプリッタ８と、コリメータレンズ９と、Ｚ軸方向に移動可能な対物レンズ１０と、シリンドリカルレンズ１１と、４分割フォトダイオード１２（４分割受光部）とからなる。
【００２７】
本実施形態１のジャストフォーカス検出器１における基本動作の概略について説明する。
【００２８】
ジャストフォーカス検出器１では、後述するように、光ピックアップ２のレーザ発光ダイオード７から出射されて対物レンズ１０により集束された集束光を、回折格子３にて回折して０次回折光，±１次回折光，±２次回折光，‥‥‥‥を得る。これらの回折光のうち０次回折光と±１次回折光とを、集光レンズ４にて平行光に変換し、集光レンズ４を透過した平行光を結像レンズ５により受像装置６に結像させる。受像装置６で受像した光は、光電変換されて処理装置（図示せず）において解析される。
【００２９】
回折格子３は、図面の垂直方向に延在し、凹部と凸部を交互に配置した格子溝３ａを備えている。格子溝３ａは、半透過性の薄い膜で覆われており、この膜で回折格子３に入射した光の一部が反射し、一部が膜を透過するようにしてある。格子溝３ａの形状寸法および回折格子３と集光レンズ４との距離は、回折格子３から得られた０次回折光と＋１次回折光，０次回折光と−１次回折光が、それぞれ集光レンズ４の瞳面上で干渉（シェアリング干渉）するように設計されている。したがって、受像装置６に受像される受光画像には、０次回折光と＋１次回折光との干渉領域Ａ１と、０次回折光と−１次回折光との干渉領域Ａ２が含まれる（図２（ａ），（ｂ）参照）。
【００３０】
干渉領域Ａ１，Ａ２には、光学系に含まれる各種の収差が干渉模様または干渉縞となって現れる。具体的に説明すると、回折格子３と光ピックアップ２の対物レンズ１０との間の光軸方向のずれを例にとった場合、回折格子３の位置が対物レンズ１０の焦点に正確に一致（ジャストフォーカス状態）していれば、図２（ａ）に示すように、干渉領域Ａ１，Ａ２に干渉縞は現れない。しかし、回折格子３の位置が対物レンズ１０の焦点からずれている（デフォーカス状態）と、図２（ｂ）に示すように干渉領域Ａ１，Ａ２にそれぞれ干渉縞が現れる。
【００３１】
すなわち、光ピックアップ２からの出射光が、回折格子３における格子溝３ａのパターン面に焦点を結ぶ時、受像装置６では図２（ａ）に示すジャストフォーカス特有のフリンジパターンをした受光画像が得られるために、処理装置ではジャストフォーカスであると判断する。
【００３２】
一方、受像装置６において、図２（ｂ）に示すように、干渉縞（デフォーカス縞）が存在する受光画像が得られた時、処理装置が、ジャストフォーカス検出器１を受像装置６の受光画像が図２（ａ）のようになるまでＺ方向に駆動することによって、回折格子３を出射光の焦点位置に移動させる。これを繰り返すことにより、常時、回折格子３を出射光の焦点位置に追従させる。
【００３３】
光ピックアップ２は、レーザ発光ダイオード７から出射したレーザ光が、ビームスプリッタ８で略直角に反射され、コリメータレンズ９を通して対物レンズ１０に入り、ジャストフォーカス検出器１の回折格子３に入射する。その後、対物レンズ１０と反対側の記録媒体における記録層に見立てた回折格子３の反射面とから反射されて、再び、対物レンズ１０とコリメータレンズ９とビームスプリッタ８とを通って、レーザ発光ダイオード７とミラー位置に設置された４分割フォトダイオード１２に、シリンドリカルレンズ１１を通して結像するようにした構成である。
【００３４】
本実施形態１の光ピックアップ２では、４分割フォトダイオード１２で受光する受光画像の光量を観察しながら、４分割フォトダイオード１２の位置を調整する。
【００３５】
なお、本説明では光軸をＺ軸としている。そのためレーザ発光ダイオード７の光出射方向がＺ軸であるが、その後、ビームスプリッタ８にて直角に曲げられるために、図において、レーザ発光ダイオード７以外は縦方向がＺ軸（光軸）となる。
【００３６】
本実施形態１において、レーザ発光ダイオード７の位置決め工程（プロセス）は、図３に示すフローチャートのように実施される。
（１）調整すべき光ピックアップ２を、対物レンズ１０の焦点がジャストフォーカス検出装置１の回折格子３上に略位置するように載置し（ステップＳ１）、レーザ発光ダイオード７を発光させる（ステップＳ２）。
（２）４分割フォトダイオード１２を構成する４つの分割素子からの４つの出力（Ａ，Ｂ，Ｃ，Ｄ（ＡとＣ，ＢとＤが対角位置にある素子からの出力。図４（ａ）を参照）が略同じになるように、レーザ発光ダイオード７を光軸Ｚに垂直なＸ−Ｙ面上を移動させて仮固定する（ステップＳ３）。
（３）常に、回折格子３が光ピックアップ２の対物レンズ１０の焦点位置にあるように、前述したようにジャストフォーカス検出器１を駆動して、受光画像解析に従ってフォーカス追従をかける（ステップＳ４）。
（４）４分割フォトダイオード１２の対角位置にある素子の出力の和（Ａ＋Ｃ）と、他の対角位置にある素子の出力（Ｂ＋Ｄ）との関係が、（（Ａ＋Ｃ）−（Ｂ＋Ｄ））／（Ａ＋Ｂ＋Ｃ＋Ｄ）＝略０となるように、レーザ発光ダイオード７を光軸Ｚ方向に移動させる（ステップＳ５）。
（５）回折格子パターン（格子溝）のない基板の反射面を、回折格子３に換えて光軸上に設置し、４分割フォトダイオード１２の対角位置の素子の出力の和（Ａ＋Ｃ）と、他の対角位置の素子の出力（Ｂ＋Ｄ）との関係が、（（Ａ＋Ｃ）−（Ｂ＋Ｄ））／（Ａ＋Ｂ＋Ｃ＋Ｄ）＝略０となるように、光ピックアップ２の対物レンズ１０を駆動してフィードバックをかける（ステップＳ６）。
（６）４分割フォトダイオード１２の対角位置の素子の出力の関係が、（（Ａ＋Ｂ）−（Ｃ＋Ｄ））／（Ａ＋Ｂ＋Ｃ＋Ｄ）＝略０、および（（Ａ＋Ｄ）−（Ｂ＋Ｃ））／（Ａ＋Ｂ＋Ｃ＋Ｄ）＝略０となるように、レーザ発光ダイオード７を光軸Ｚ方向に垂直なＸ−Ｙ面上を移動させ、より精密に位置決め固定する（ステップＳ７）。
【００３７】
以上のプロセスにより、レーザ発光ダイオード７の正確かつ精密な位置決めが行われる。
【００３８】
なお、ステップＳ５において、反射面を回折格子パターンのない面にする理由は、対物レンズ１０のフィードバック制御が確実で容易になるからである。この場合、回折格子３あるいはジャストフォーカス検出器１全体を移動させて、回折格子３における回折格子パターン（格子溝３ａ）のない部分を使うようにすることもできる。
【００３９】
本実施形態１における回折格子を用いた光ピックアップの検査方法について、図５のフローチャートを参照して説明する。
【００４０】
まず、光ピックアップの調整装置に、光ピックアップ２をセットする（ステップＳ１１）。そして、光ピックアップ２の光源であるレーザ発光ダイオード７を発光させて（ステップＳ１２）、調整装置の光学系を移動させ（ステップＳ１３）、その後、回折格子３で回折された光ピックアップ２からの画像を受像装置６で取り込む（ステップＳ１４）。そして、取り込んだ画像を基に、処理装置ではフリンジ演算（干渉縞に対してフリンジ多項式を用いた、レンズの収差の演算）を行う（ステップＳ１５）。
【００４１】
ここで、本実施形態１では、フリンジ多項式のデフォーカス量の項を回折格子高さズレ調整のためのフィードバックに利用する。
【００４２】
すなわち、本実施形態１においては、ステップＳ１５のフリンジ演算工程において、フリンジ多項式のデフォーカス量の項を用いて、回折格子３の反射面の位置を求め、反射面の位置がジャストフォーカスの位置になるように、回折格子高さズレの位置調整を行うフィードバックを行う。
【００４３】
そして、ステップＳ１５で所定のデフォーカス値以下の場合を演算結果として出力し、光ピックアップ２の収差を導出する（ステップＳ１６）。
【００４４】
このようにすることによって、本実施形態１では、回折格子３の反射面を常にジャストフォーカス位置に合わせながら、光ピックアップ２の収差を導出することが可能となる。
【００４５】
（実施形態２）
レーザ発光ダイオード７と４分割フォトダイオード１２とは、光学的には互換の位置（ミラー位置）にあり、互いに入れ替わってもよく、あるいは、そのままの位置（図１の配置）で４分割フォトダイオード１２をＸＹ軸方向に位置調整するようにしてもよい。
【００４６】
本発明の実施形態２に係る光ピックアップ光学調整方法における４分割フォトダイオードの位置調整について、図６のフローチャートを参照して説明する。基本的なプロセスは実施形態１と同様の次のような工程からなる。
（１）調整すべき光ピックアップ２を、対物レンズ１０の焦点がジャストフォーカス検出装置１の回折格子３上に略位置するように載置し（ステップＳ２１）、レーザ発光ダイオード７を発光させる（ステップＳ２２）。
（２）４分割フォトダイオード１２からの４つの出力Ａ，Ｂ，Ｃ，Ｄが略同じになるように、４分割フォトダイオード１２を光軸Ｚに垂直なＸ−Ｙ面上を移動させて仮固定する（ステップＳ２３）。
（３）回折格子３が光ピックアップ２の対物レンズ１０の焦点位置にあるように、ジャストフォーカス検出器１をフリンジ画像に従って駆動し、フォーカス追従をかける（ステップＳ２４）。
（４）４分割フォトダイオード１２の対角位置の素子の出力の和（Ａ＋Ｃ）と、他の対角位置の素子の出力（Ｂ＋Ｄ）との関係が（（Ａ＋Ｃ）−（Ｂ＋Ｄ））／（Ａ＋Ｂ＋Ｃ＋Ｄ）＝略０となるように、４分割フォトダイオード１２を光軸Ｚ方向に移動させる（ステップＳ２５）。
（５）回折格子のない基板の反射面を、回折格子３に換えて光軸上に設置し、４分割フォトダイオード１２の対角位置の素子の出力の和（Ａ＋Ｃ）と、他の対角位置の素子の出力（Ｂ＋Ｄ）との関係が（（Ａ＋Ｃ）−（Ｂ＋Ｄ））／（Ａ＋Ｂ＋Ｃ＋Ｄ）＝略０となるように光ピックアップ２の対物レンズ１０を駆動させフィードバックをかける（ステップＳ２６）。
（６）４分割フォトダイオード１２の対角位置の素子の出力の関係が（（Ａ＋Ｂ）−（Ｃ＋Ｄ））／（Ａ＋Ｂ＋Ｃ＋Ｄ）＝略０、および（（Ａ＋Ｄ）−（Ｂ＋Ｃ））／（Ａ＋Ｂ＋Ｃ＋Ｄ）＝略０となるように、４分割フォトダイオード１２を光軸Ｚ方向に垂直なＸ−Ｙ面上を移動させ、より精密に位置決め固定する（ステップＳ２７）。
【００４７】
以上のプロセスにより、４分割フォトダイオード１２の正確かつ精密な位置決めがなされる。
【００４８】
（実施形態３）
ところで、現在、光ピックアップの構成として複数種類の記録媒体に対応した機器が提供されている。例えば、ＣＤとＤＶＤに対して記録再生を行うことができる機器がある。
【００４９】
この構成のものでは、相対的な位置が固定された２つの発光点から、それぞれ異なる波長のレーザ光を発光できる２波長レーザ発光ダイオード部品と、図２（ｂ）に示したように、各発光点からの波長のレーザ光をそれぞれ検知する２つの４分割フォトダイオード１５，１６を有するフォトダイオード部品とを備えた光ピックアップが用いられる。
【００５０】
４分割フォトダイオード１５とこれに対応するレーザ発光ダイオードとの一方の組においては、図３に示す実施形態１の工程（プロセス）の光学調整方法を実施し、４分割フォトダイオード１６とこれに対応するレーザ発光ダイオードとの他方の組においては、図３にて説明した工程に、次の工程を追加して調整を実施する。
【００５１】
本発明の実施形態３の光ピックアップ光学調整方法における調整方法について、図７のフローチャートを参照して説明する。図７において、一方の組における調整フローであるステップＳ３１〜Ｓ３７は、図３のステップＳ１〜Ｓ７のフローと同様であるので説明を省略する。
【００５２】
他方の組では、図７に示すように、以下の工程を追加する。
（１）他方のレーザ発光ダイオードを発光させる（ステップＳ３８）。
（２）回折格子の面と異なり、かつ他方のレーザ発光ダイオードを用いる場合の記録媒体の記録層に見立てた反射面を有するカバーグラスを回折格子３に重ねて、該反射面に他方のレーザ発光ダイオードの焦点が合うように、図４（ｂ）に示す４分割フォトダイオード１６の対角位置の素子の出力の和（Ａ’＋Ｃ’）と、他の対角位置の素子の出力（Ｂ’＋Ｄ’）との関係が、（（Ａ’＋Ｃ’）−（Ｂ’＋Ｄ’））／（Ａ’＋Ｂ’＋Ｃ’＋Ｄ’）＝略０となるように光ピックアップの対物レンズを駆動する（ステップＳ３９）。
（３）図３に示す工程を経て一方のレーザ発光ダイオードが一方の４分割フォトダイオード１５の中心に調整された状態で、他方の４分割フォトダイオード１６の出力の関係が、（（Ａ’＋Ｄ’）−（Ｂ’＋Ｃ’））／（Ａ’＋Ｂ’＋Ｃ’＋Ｄ’）＝略０となるように、２波長レーザ発光ダイオード部品を、一方のレーザ発光ダイオードの発光点を回転中心として、Ｚ軸の周りに回転させて位置決めする（ステップＳ４０）。
【００５３】
なお、ステップＳ３９において、回折格子３にカバーグラスを重ねる代わりに、他方のレーザ発光ダイオードを用いる記録媒体の記録層に見立てた他の反射面と置き換えるようにしてもよい。
【００５４】
また、２波長レーザ発光ダイオード部品を固定して、４分割フォトダイオード部品の位置調整を行う場合でも、同様に４分割フォトダイオード部品を回転させて精密な位置決めを行うことができる。
【００５５】
（実施形態４）
一つの光ピックアップにおいてブルーレイ記録再生も実現することができるようにした構成の機器が提供されているが、そのような光ピックアップでは、前記レーザ発光ダイオード部品の外に青色レーザ発光ダイオードを内蔵する。この場合には、前記工程に加えて青色レーザ発光ダイオードに関しても、実施形態１の工程と同様な工程フローを経ることにより、実施形態１と同様な精密な光学調整を行うことができる。
【００５６】
図８は本発明の実施形態４に係る光学調整方法を実現するための光学調整装置の概略構成図である。図８において、実施形態１〜３において既に説明した部材には同一符号を付した。
【００５７】
図８に示す光学調整装置では、実施形態１にて説明した構成のジャストフォーカス検出器１と、これを上下に移動させる駆動部２１と、上記の実施形態にて説明した構成の調整対象の光ピックアップ２を載置する載置台２２と、光ピックアップ２の４分割フォトダイオード１２の出力を演算する演算部２３と、その出力に従って光ピックアップ２のレーザ発光ダイオード７を少なくともＸＹＺ方向に移動させ最適な位置に固定するための微動部２４とからなる。
【００５８】
この光学調整装置においては、調整対象の光ピックアップ２を載置台２２に載置し、ジャストフォーカス検出器１を駆動部２１により移動させて、光ピックアップ２の対物レンズ１０からの出射光の焦点に、回折格子３が位置するように移動する。
【００５９】
その後、実施形態１と同様の光学調整のための工程フローを実施する。４分割フォトダイオード１２からの出力は演算部２３で計算され、その結果に従ってレーザ発光ダイオード７を微動部２４で微動調整する。演算部２３の出力は対物レンズ１０のフィードバック制御にも使われる。
【００６０】
なお、以上の説明より明らかであるが、各部品や各工程の変形は、本発明の本質から逸脱しない範囲内において可能である。
【産業上の利用可能性】
【００６１】
本発明は、ＣＤ，ＤＶＤなどの各種記録媒体を用いる記録再生機器を構成する光ピックアップの光学調整に利用可能である。
【符号の説明】
【００６２】
１  ジャストフォーカス検出器
２  光ピックアップ
３  回折格子
４  集光レンズ
５  結像レンズ
６  受像装置
７  レーザ発光ダイオード
８  ビームスプリッタ
９  コリメータレンズ
１０  対物レンズ
１１  シリンドリカルレンズ
１２，１５，１６  ４分割フォトダイオード
２１  駆動部
２２  載置台
２３  演算部
２４  微動部
【図１】
2011129184.tif 000003
【図２】
2011129184.tif 000004
【図３】
2011129184.tif 000005
【図４】
2011129184.tif 000006
【図５】
2011129184.tif 000007
【図６】
2011129184.tif 000008
【図７】
2011129184.tif 000009
【図８】
2011129184.tif 000010
【図９】
2011129184.tif 000011